(57)【要約】【課題】  金属製の板の一部に一体的にバーリング加工により雌ネジを形成したトレイとして部品点数を減少し、溶接作業を不要とし、水垂れをなくして室内でも鉢花の観賞を可能にしたフラワースタンドを提供すること。【解決手段】  所望の場所に設置される基台と、基台に垂直に設けられ、外周に雄ネジを形成した金属製の支柱と、金属製平板をプレス加工により、鉢等を受ける凹陥部を形成したトレイと、このトレイの一端に、前記支柱の雄ネジに螺合し、このトレイの周囲の一部にこのトレイと一体的にバーリング加工により形成した雌ネジとから構成され、この雌ネジを前記支柱の雄ネジに螺合自在にすることにより、前記トレイを支柱に対して装脱着及びその高さと水平角度を調整自在に構成したもの。【選択図】図１
0003179262.tif 000002
【実用新案登録請求の範囲】
【請求項１】
所望の場所に設置される基台と、基台に垂直に設けられ、外周に雄ネジを形成した金属製の支柱と、金属製平板をプレス加工により、鉢等を受ける凹陥部を形成したトレイと、このトレイの一端に、前記支柱の雄ネジに螺合し、このトレイの周囲の一部にこのトレイと一体的にバーリング加工により形成した雌ネジとから構成され、この雌ネジを前記支柱の雄ネジに螺合自在にすることにより、前記トレイを支柱に対して装脱着及びその高さと水平角度を調整自在に構成したものであるフラワースタンド。
【請求項２】
前記請求項１のフラワースタンドにおいて、支柱の下方の雄ネジにナットを螺合し、基台を蝶ナットで狭持するようにして、支柱を基台に垂直の位置に固定するようにしたフラワースタンド。
【請求項３】
前記請求項１のフラワースタンドにおいて、複数個のトレイの間の支柱に所望の形状及び所望の色を有する複数の被挿体を被挿し意匠性を向上させたフラワースタンド。
【請求項４】
前記請求項３のフラワースタンドにおいて、支柱をネジのない支柱とし、この支柱に被挿される前記複数個の被挿体は、前記トレイの間隔を保つディスタントピースとしているフラワースタンド。
【請求項５】
前記請求項１ないし４に記載した何れかのフラワースタンドにおいて、
前記トレイを合成樹脂製としたものであるフラワースタンド。
【考案の詳細な説明】
【技術分野】
【０００１】  本考案は、主に室内で植木鉢や物を受け具に載せて花などを観賞することができるフラワースタンドに関するもので、特に、それぞれの受け具の高さや向きを任意に調節することができるフラワースタンドに関する。
【背景技術】
【０００２】  従来、フラワースタンドとしては、特許文献１に開示されているものがある。
このフラワースタンドは、ねじ込み部１を備えた脚と、ねじ込み部にねじ込み可能なねじ棒による支柱３と、支柱へ回転可能にねじ嵌合できる嵌合部４に植木鉢を支持可能な受部５が設けられた鉢受具６とを有し、鉢受け具は支柱へねじ嵌合された嵌合部を回転させることにより高さと向きを調節可能としたものである。
【先行技術文献】
【特許文献】
【０００３】
【特許文献１】実用新案登録第３０７７７３５号公報
【考案の概要】
【考案が解決しようとする課題】
【０００４】しかしながら、上記フラワースタンドは、鉢受具を製作するのに支柱３に螺合するナット、このナットに溶接されるアーム、さらにこのアームに溶接されるリングを必要とし、多くの加工時間を要することになる。脚も同様にナット、補強棒、リングなどと溶接をすることが必要であるため、多大の時間がかかってしまう。また、部品の数が多く、減らすことができないため、コストもかかってしまう。また、ナットを多数使用するため、美観的にも劣ってしまうし、工具も必要になる。さらに、鉢受具がリング形状であるため、載せるものが鉢のみに限定され、鉢に水をあげると、水が垂れるので室内で使用することができないという課題を有している。【０００５】  以上のような課題を解決するために本考案はなされたもので、金属製の板の一部に一体的にバーリング加工により雌ネジを形成したトレイとして、部品点数を減少し、溶接作業を不要とし、水垂れをなくして室内でも鉢花の観賞を可能にしたフラワースタンドを提供することを主たる目的とするものである。
また、支柱の外周に任意の形状でデザイン性の高い複数の被挿体を被挿し、支柱の露出をなくし、意匠性に優れたフラワースタンドを提供することを第二の目的とするものである。
【課題を解決するための手段】
【０００６】  本考案は、所望の場所に設置される基台と、基台に垂直に設けられ、外周に雄ネジを形成した金属製の支柱と、金属製平板をプレス加工により、鉢等を受ける凹陥部を形成したトレイと、このトレイの一端に前記支柱の雄ネジに螺合し、このトレイと一体的にバーリング加工により形成した雌ネジとから構成され、この雌ネジを前記支柱の雄ネジに螺合自在にすることにより、前記トレイを支柱に対して装脱着及びその高さと水平角度を調整自在に構成したものであるフラワースタンドにある。
また、本考案は、前記に加え、複数個のトレイの間の支柱に所望の形状及び所望の色を有する複数の被挿体を被挿し、意匠性を向上させたフラワースタンドにある。
更にまた、支柱をネジのない支柱とし、この支柱に被挿される前記複数個の被挿体は前記トレイの間隔を保つディスタントピースとしているフラワースタンドにある。
【考案の効果】
【０００７】  本考案のフラワースタンドは、溶接加工を一切使用せず、プレス加工とバーリング加工を施した一体的に形成したトレイにしたことで、部品数を減らすことができ、また短時間で加工できるため安価に提供できる。
また、植木鉢をのせる受具を鉄筋のリング状から穴の開いていないトレイにしたことで植木鉢以外の物も載せることができ、凹陥部にした事で落下防止にも効果がある。【０００８】  また、トレイと雌ネジを一体化させた構成の合成樹脂製トレイにすることで、溶接製より短時間で成形でき安価で提供できる。【０００９】  また、基台の最下部から基台最上部までの範囲において、自由に雄ネジを締めつけることができるため、フラワースタンド自体の高さをこの範囲内に調節可能である。また、基台と雄ネジを固定するのに、ナットと基台と蝶ナットを狭持した場合、基台足部をもちながら蝶ナットを締め付けるとスパナを使用しなくても固定できる。すなわち、工具を必要としないという効果を発揮するものである。
また、基台脚部の先端を上方に折り曲げることで、接地面にキズをつけることもなく美観的にも優れている。【００１０】  また、金属製の支柱に、所望の形状及色を有する複数の被挿体を被挿し、支柱の露出を防止したので意匠性を向上し美観的に優れている。
【図面の簡単な説明】
【００１１】
【図１】本考案の実施形態を示すフラワースタンドの斜視図。
【図２】同フラワースタンド基台の上面図。
【図３】同フラワースタンドの側面図。
【図４】同フラワースタンド基台部の断面図。
【図５】同フラワースタンドトレイの上面図。
【図６】同フラワースタンドトレイにおけるＡ−Ａ線断面図。
【図７】他の実施例の基台を表わす斜視図。
【図８】フラワースタンド他の実施例を示すもので支柱に被挿体を被挿した側面図。
【図９】被挿体の例を示す斜視図。
【考案を実施するための形態】
【００１２】  本考案のフラワースタンドの実施形態の一例を図１〜図６に基づいて詳細に説明する。
このフラワースタンド本体１は、脚１０を備えた基台２と雄ネジ３と螺合させるトレイ４、フランジナット６、蝶ナット７と支柱３に被せるキャップ８を備えている。
【００１３】基台２の形状は、図２の上面図、図４の断面図に示す通り、金属製平板を十字型にカットし、プレス機により各脚になる部分を段々に曲げ加工し凸状に成形し、先端脚１０を半円状にしたもので、脚部四点で接地されるものである。
また、基台２の中心には、支柱を通す為の支柱通すための穴１４がある。脚部の接地部においては、すべり止め対策としてゴム状シールなど貼ってもよいものとする。
【００１４】  基台２の形状は、図２以外の形状や構造のものでもよく、図７に示された皿状に形成されたものを逆さにした丸型基台１５でもよい。
この場合、金属製平板を丸くカットし、プレス機により皿状に絞り加工をしており、下部の接地される面の外周に丸型基台つば１６を有しており、丸型基台１５の中心に支柱を通すための丸型基台支柱通し穴１７がある。丸型基台１５は、金属製でも合成樹脂製でもよく、任意に選定することができる。
【００１５】  トレイ４は、図５、図６に示す通り、金属製平板を図５の様な形状にカットし、プレス加工により、凹陥部９を形成し、円形の段差を有している。
また、トレイ４の凹陥部の外周に沿ってトレイつば１３を有しており、トレイ４の一端にバーリング加工による雌ネジ５を形成し、その外周に沿ってバーリング外周つば１２があり、トレイ４を一体化したものである。このトレイ４は、凹陥部９を形成し段差を有したことで、植木鉢の落下防止になると共に強度が向上するものである。
また凹陥部９の範囲内において、小物や雑貨品，置物など植木鉢以外の物ものせることが可能である。
【００１６】  トレイ４は、図５、図６に示す金属製のトレイは合成樹脂のトレイとしてもよい。
トレイ４に関しては、大きさや凹陥部９の深さ、ネジの径、ネジのピッチそれぞれ任意に設定可能である。
【００１７】  支柱３には、図１、図３に示す通り、外周面に雄ネジが形成されており、上記トレイ４の雌ネジ５と螺合させることによりトレイ４の高さと向きを調節可能としている。
トレイ４は、手で回し、時計回りで下降、逆回転で上昇する。支柱３は、ネジの径、ネジのピッチ，長さはそれぞれ任意に設定可能である。
【００１８】  支柱３の両端には、図１、図３に示す通り、キャップ８を被せてある。キャップ８は樹脂製であり、ケガを防止すると共に、美観も保つことができる。
【００１９】  フラワースタンド本体１は、図１、図３に示す通り、全ての部品において装脱着可能である。すなわち、本考案は、組立式のフラワースタンドである。
【００２０】  支柱３には、図８、図９に示す通り、支柱３に螺合される複数個のトレイ間において、貫通穴を持つ各形状の被挿体、例えばアクセサリービーズなどを支柱に被挿している。
これは、短樽型ビーズ１８、立方体型ビーズ１９、円柱型ビーズ２０、長樽型ビーズ２１、球体型ビーズ２２、そろばん型ビーズ２３などである。更に、このビーズは、合成樹脂，木製，ガラス製など任意で材料や形状、色彩などは限定されない。
また、ビーズの他に金属製のカラーパイプ等を使用してもよい。
【００２１】  前記で、被挿体は、支柱を覆い意匠性を高めることとしているが、支柱をその外周にネジのない支柱とし、雌ねじ部を、雌ねじのない単なる管体とし、この管体を支柱に遊合し、複数の被挿体を上下のトレイの間隔を保つスタントピースとして機能させれば、雌ねじのバーリング加工も不要となり、トレイの製作性も向上する。
支柱に被挿する被挿体の数を調整することによりトレイの高さや間隔を調整することができる。
【符号の説明】
【００２２】１  フラワースタンド本体
２  基台
３  支柱
４  トレイ
５  雌ネジ
６  フランジナット
７  蝶ナット
８  キャップ
９  凹陥部
１０  脚
１１  植木鉢
１２  バーリング外周つば
１３  トレイつば
１４  支柱通し穴
１５  他の実施例の丸型基台
１６  丸型台つば
１７  支柱通し穴
１８  短樽型ビーズ
１９  立方体型ビーズ
２０  円柱型ビーズ
２１  長樽型ビーズ
２２  球体型ビーズ
２３  そろばん型ビーズ
【図１】
0003179262.tif 000003
【図２】
0003179262.tif 000004
【図３】
0003179262.tif 000005
【図４】
0003179262.tif 000006
【図５】
0003179262.tif 000007
【図６】
0003179262.tif 000008
【図７】
0003179262.tif 000009
【図８】
0003179262.tif 000010
【図９】
0003179262.tif 000011